(57)【要約】【課題】ブラッシング機能と、毛髪を梳かしながら円弧状加熱板により加熱するアイロン機能と、１対の平板状加熱板により毛髪を挟持して加熱するアイロン機能との３つの毛髪施術機能を有している開閉型ヘアーアイロンブラシの提供。【解決手段】平板状加熱板１０、２０が１対の腕体１、２の開閉に伴って近接離反するように設けられ、  一方の腕体に円弧状加熱板１１が平板状加熱板１０とで断面略半円形を成すように設けられ、他方の腕体に円弧状板２１が平板状加熱板２０とで断面略半円形を成すように設けられ、円弧状加熱板１０にブラシ毛列体３と筋状加熱表面１６が円周方向に交互に配置されている。【選択図】図４
0003184814.tif 000002
【実用新案登録請求の範囲】
【請求項１】
開閉可能に枢着された１対の腕体（１）、（２）のそれぞれの先端部対向側に加熱手段を備えた平板状加熱板（１０）、（２０）が前記腕体（１）、（２）の開閉に伴って近接離反するように設けられ、  
一方の腕体（１）の先端部外側には加熱手段を備えた円弧状加熱板（１１）が前記平板状加熱板（１０）とで断面略半円形を成すように設けられ、
他方の腕体（２）の先端部外側には円弧状板（２１）が前記平板状加熱板（２０）とで断面略半円形を成すように設けられて、前記平板状加熱板（１０）、（２０）同士を近接させた腕体（１）、（２）の閉鎖状態で両腕体（１）、（２）を合わせた先端部外周が断面略円形になるように形成され、
前記一方の腕体（１）の円弧状加熱板（１０）の表面に腕体長手方向に長い複数列の筋状溝（１５）と筋状加熱表面（１６）が円周方向に交互に形成され、かつ腕体長手方向に合成樹脂ブラシ毛（３１）を列設させたブラシ毛列体（３）が前記筋状溝（１５）に嵌め込まれて、このブラシ毛列体（３）と前記筋状加熱表面（１６）が円周方向に交互に配置されていることを特徴とする開閉型ヘアーアイロンブラシ。
【請求項２】
請求項１記載の開閉型ヘアーアイロンブラシにおいて、前記他方の腕体（２）の円弧状板（２１）の表面に円弧凹部（４０）と円弧凸部（４１）を腕体長手方向に交互に形成した凹凸状コーム部（４）が形成されているヘアーアイロンブラシ。
【請求項３】
請求項１又は２記載の開閉型ヘアーアイロンブラシにおいて、前記ブラシ毛列体（３）及び／又は平板状加熱板（１０）、（２０）及び／又は円弧状加熱板（１１）が多元素鉱物を粉砕して形成した多元素鉱物ミネラルパウダーを含有している開閉型ヘアーアイロンブラシ。
【請求項４】
請求項３記載の開閉型ヘアーアイロンブラシにおいて、前記ブラシ毛列体（３）及び／又は平板状加熱板（１０）、（２０）及び／又は円弧状加熱板（１１）が多元素鉱物ミネラルパウダーに加えて、遠赤外線放射材料を粉砕して形成した遠赤外線放射パウダーを含有している開閉型ヘアーアイロンブラシ。
【考案の詳細な説明】
【技術分野】
【０００１】
本考案は、合成樹脂ブラシ毛により毛髪を梳き施術するブラッシング機能と、ブラッシングしながら加熱板により毛髪を加熱施術するアイロン機能と、１対の加熱板により毛髪を挟持して加熱施術するアイロン機能との３つの毛髪施術機能を併せ持つ開閉型ヘアーアイロンブラシに関する。
【背景技術】
【０００２】
従来、柄の先端部に、ブラシ長手方向に長いブラシ毛列体と、円弧状加熱板に形成した筋状加熱表面をブラシ幅方向に交互に配設したヘアーアイロンブラシが知られている（特許文献１参照）。
【０００３】
また、従来、開閉可能に枢着された１対の腕体のそれぞれの先端部対向側に加熱手段を備えた平板状加熱板が前記腕体の開閉に伴って近接離反するように設けられた開閉型ヘアーアイロンが知られている（特許文献２参照）。
【先行技術文献】
【特許文献】
【０００４】
【特許文献１】実用新案登録第３１８０６２２号公報
【特許文献２】特開２０１０−２３３８３０号公報
【考案の概要】
【考案が解決しようとする課題】
【０００５】
前者のヘアーアイロンブラシは、合成樹脂ブラシ毛による毛髪のブラッシング機能と、ブラッシングしながら円弧状加熱板により毛髪を加熱するアイロン機能とを有し、後者の開閉型ヘアーアイロンは、１対の平板状加熱板により毛髪を挟持して加熱するアイロン機能を有している。
【０００６】
しかしながら、従来、合成樹脂ブラシ毛による毛髪のブラッシング機能と、ブラッシングしながら円弧状加熱板により毛髪を加熱するアイロン機能と、１対の平板状加熱板により毛髪を挟持して加熱するアイロン機能の３つの毛髪施術機能を有している開閉型ヘアーアイロンブラシはない。
【０００７】
また、このような３つの毛髪施術機能を有している開閉型ヘアーアイロンブラシにおいて、合成樹脂ブラシ毛及び／又は加熱板が多元素鉱物ミネラルパウダーを含有しているものはない。
【０００８】
本考案は、合成樹脂ブラシ毛によるブラッシング機能によって毛髪を梳かして毛流れを整えることができ、又、この合成樹脂ブラシ毛によって毛髪を梳かしながら円弧状加熱板により加熱するアイロン機能によって毛髪にカールやウエーブをつけたり伸したり（ストレートヘアー）することができ、更に１対の平板状加熱板により毛髪を挟持して加熱するアイロン機能によって毛髪にカールやウエーブをつけたり伸したり（ストレートヘアー）することができる、といった３つの毛髪施術機能を有している開閉型ヘアーアイロンブラシを提供することを課題としている。
【０００９】
さらに、多元素鉱物ミネラルパウダーから放射される微弱エネルギー及び／又は遠赤外線放射パウダーから放射される遠赤外線により毛髪をケアしながらスタイリングすることができ、また、頭皮の血行を増進させて効果的なケアができる開閉型ヘアーアイロンブラシを提供することを課題としている。
【課題を解決するための手段】
【００１０】
上記の課題を解決するために本考案は以下のように構成した。
即ち、請求項１記載の開閉型ヘアーアイロンブラシは、
開閉可能に枢着された１対の腕体（１）、（２）のそれぞれの先端部対向側に加熱手段を備えた平板状加熱板（１０）、（２０）が前記腕体（１）、（２）の開閉に伴って近接離反するように設けられ、  
一方の腕体（１）の先端部外側には加熱手段を備えた円弧状加熱板（１１）が前記平板状加熱板（１０）とで断面略半円形を成すように設けられ、
他方の腕体（２）の先端部外側には円弧状板（２１）が前記平板状加熱板（２０）とで断面略半円形を成すように設けられて、前記平板状加熱板（１０）、（２０）同士を近接させた腕体（１）、（２）の閉鎖状態で両腕体（１）、（２）を合わせた先端部外周が断面略円形になるように形成され、
前記一方の腕体（１）の円弧状加熱板（１０）の表面に腕体長手方向に長い複数列の筋状溝（１５）と筋状加熱表面（１６）が円周方向に交互に形成され、かつ腕体長手方向に合成樹脂ブラシ毛（３１）を列設させたブラシ毛列体（３）が前記筋状溝（１５）に嵌め込まれて、このブラシ毛列体（３）と前記筋状加熱表面（１６）が円周方向に交互に配置されていることを特徴とする。
【００１１】
請求項２記載の開閉型ヘアーアイロンブラシは、
請求項１記載の開閉型ヘアーアイロンブラシにおいて、前記他方の腕体（２）の円弧状板（２１）の表面に円弧凹部（４０）と円弧凸部（４１）を腕体長手方向に交互に形成した凹凸状コーム部（４）が形成されている。
【００１２】
請求項３記載の開閉型ヘアーアイロンブラシは、
請求項１又は２記載の開閉型ヘアーアイロンブラシにおいて、前記ブラシ毛列体（３）及び／又は平板状加熱板（１０）、（２０）及び／又は円弧状加熱板（１１）が多元素鉱物を粉砕して形成した多元素鉱物ミネラルパウダーを含有している。
【００１３】
請求項４記載の開閉型ヘアーアイロンブラシは、
請求項３記載の開閉型ヘアーアイロンブラシにおいて、前記ブラシ毛列体（３）及び／又は平板状加熱板（１０）、（２０）及び／又は円弧状加熱板（１１）が多元素鉱物ミネラルパウダーに加えて、遠赤外線放射材料を粉砕して形成した遠赤外線放射パウダーを含有している。
【考案の効果】
【００１４】
本考案（請求項１）の開閉型ヘアーアイロンブラシは、一方の腕体の先端部外側に、合成樹脂ブラシ毛を列設させたブラシ毛列体と、円弧状加熱板に形成した筋状加熱表面とが円周方向に交互に配置されている。
従って、ブラシ毛列体によるブラッシング機能によって毛髪を梳かして毛流れを整えることができる。
【００１５】
又、この合成樹脂ブラシ毛によって毛髪を梳かしながら円弧状加熱板の筋状加熱表面により毛髪を加熱するアイロン機能によって毛髪にカールやウエーブをつけたり伸したり（ストレートヘアー）することができる。
【００１６】
さらに、１対の腕体のそれぞれの先端部対向側に平板状加熱板が前記腕体の開閉に伴って近接離反するように設けられている。
従って、１対の腕体に設けた１対の平板状加熱板により毛髪を挟持して加熱するアイロン機能によって毛髪にカールやウエーブをつけたり伸したり（ストレートヘアー）することができる。
【００１７】
以上のように、本考案の開閉型ヘアーアイロンブラシは、合成樹脂ブラシ毛による毛髪のブラッシング機能と、ブラッシングしながら円弧状加熱板により毛髪を加熱するアイロン機能と、平板状加熱板により毛髪を挟持して加熱するアイロン機能の３つの毛髪施術機能を有している
【００１８】
又、平板状加熱板同士を近接させた閉鎖状態で両腕体を合わせた先端部外周が断面略円形になるように形成されているため、その断面略円形部になった腕体の先端部に毛髪をスムーズに巻き付けることができると共に、毛髪を円弧状加熱板の筋状加熱表面に十分確実に接触させることができ、容易かつ効果的に毛髪にカールやウエーブをつけることができる。
【００１９】
尚、他方の腕体の円弧状板の表面に円弧凹部と円弧凸部を腕体長手方向に交互に形成した凹凸状コーム部を形成させると（請求項２）、腕体に巻き付けた毛髪が腕体長手方向にズレ動いて毛流れが乱れてしまうのを防止できる。
【００２０】
又、円弧状加熱板の表面に形成した筋状溝にブラシ毛列体を嵌合させた構造にしたので、ブラシ毛列体と加熱板の筋状加熱表面を交互に配設させるといった構造のヘアーアイロンブラシを容易に製作できるし、ブラシ毛列体が円弧状加熱板に直接に接触するため、円弧状加熱板からブラシ毛列体に熱の伝達が行われ、ブラシ毛列体の熱によっても毛髪を加熱させることができ、アイロン機能を向上させるこができる。
【００２１】
また、施術者はブラシ毛列体に手を添えたり、握ったりすることになるが、ブラシ毛を合成樹脂製にしたので、円弧状加熱板からの熱伝達が緩和されるし、この合成樹脂ブラシ毛によって円弧状加熱板がカバーされるため、手や指が円弧状加熱板に直接に触れるのを阻止し、熱く感じたり、火傷が生じたりするのを防ぐことができる。
【００２２】
又、ブラシ毛列体及び／又は平板状加熱板及び／又は円弧状加熱板に、多元素鉱物を粉砕して形成した多元素鉱物ミネラルパウダーを含有させることができる（請求項３）。
これにより、多元素鉱物ミネラルパウダーから放射される微弱エネルギーにより毛髪をケアしながらスタイリングすることができ、また、頭皮の血行を増進させて発毛促進や効果的なスキャルプケアができる。
また、多元素鉱物ミネラルパウダーの作用によってブラッシングしても静電気が発生せず、ブラッシングや加熱板によるカール等をスムーズに行なうことができると共にスタイリングも容易にできる。
【００２３】
しかも多元素鉱物ミネラルパウダーから発生するマイナスイオンによってブラッシングするだけで髪や頭皮の血行を良好にでき、また、マイナスイオンによって毛髪の水分にクラスター現象（水の分子集団を小さくする力）が生じ、毛髪のツヤ感と潤い感を高めサラサラでまとまりのあるデザインに仕上げることができる。
また、マイナスイオンが毛髪のキュ−ティクル（ガラス状の繊維）に作用し、常にツヤのよい状態に保つことができ、特に、ダメ−ジヘアや細くてまとまりづらい毛髪に効果的である。
【００２４】
又、前記多元素鉱物ミネラルパウダーに加えて遠赤外線放射パウダーを含有させることができる（請求項４）。
このように、多元素鉱物ミネラルパウダーに加えて、遠赤外線放射パウダーを含有させると、この遠赤外線放射パウダーから遠赤外線が放射され、毛髪や頭皮を内部から温めることができる。
これにより、毛髪を効果的にケアすることができるし、頭皮の血行を良好にすることができる。
【図面の簡単な説明】
【００２５】
【図１】本考案の実施例に係る開閉型ヘアーアイロンブラシを示すもので、１対の腕体を閉鎖した状態を示す側面図。
【図２】開閉型ヘアーアイロンブラシを示す断面図で、図１のＡ−Ａ断面図。
【図３】本考案の実施例に係る開閉型ヘアーアイロンブラシを示すもので、１対の腕体を開放した状態を示す側面図。
【図４】開閉型ヘアーアイロンブラシを示す断面図で、図３のＢ−Ｂ断面図。
【図５】ブラシ毛列体を示す側面図。
【考案を実施するための形態】
【００２６】
本考案で使用する多元素鉱物とは、例えば、真珠岩や松脂岩、それにトルマリン（電気石）のように珪素を主成分とし、多数の元素がバランスよく含まれている鉱物をいい、この多元素鉱物はマイナスイオンを出すことが知られている。
【００２７】
多元素鉱物ミネラルパウダーは、多元素鉱物をボールミル等で粉砕してパウダーに形成したもので、この場合の粉砕数値は１〜３ミクロンが望ましいが数値は変わってもよい。
多元素鉱物ミネラルパウダーは単独或いは組み合わせて使用することができるが、２種類以上を適宜配合して使用することが好ましい。
この多元素鉱物ミネラルパウダーはそのまま使用してもよいし、これを水と混合し、加熱又は加圧した後、上澄み液を真空凍結乾燥や噴射乾燥により粉末にしたものを使用してもよい。
【００２８】
尚、真珠岩は下記の表１で示す成分からなるものである。
【００２９】
【表１】
0003184814.tif 000003
【００３０】
多元素鉱物ミネラルパウダーから放射される４〜１４μｍの波長の電磁波（微弱エネルギ−）には、原子の核の周囲を電気的に変化させて原子、さらにその物質を励起状態（振動）にし、その結果、水のクラスタ（ｃｌｕｓｔｅｒ）の重合を切断・短縮させ、水の容積の縮小、比重の増加、動植物の細胞外膜への水（自由水）の十分な付着をもたらし、細胞内にＣａ２＋と共に水の浸透が亢進し、細胞の諸機能を賦活化させる作用がある。
【００３１】
そこで、この電磁波（微弱エネルギー）を毛髪や頭皮に当てることにより、毛髪や頭皮中の水分をミネラル化して毛髪や頭皮の中の蛋白質を活性化し、常に健康毛でツヤのある毛髪とすることができる。
【００３２】
また、遠赤外線放射パウダーは、遠赤外線放射材料としてのアルミナ（Ａｌ２Ｏ３）、チタニア（ＴｉＯ２）、フェライト（Ｆｅ２Ｏ３)、酸化クロム（Ｃｒ２Ｏ３)、シリカ（ＳｉＯ２）、イットリア（Ｙ２Ｏ３）、マグネシア（ＭｇＯ）等をパウダーにしたもので、これらの遠赤外線放射パウダーを毛髪や頭皮の吸収に適した波長の遠赤外線を放射するようにブレンドして使用するのが好ましい。
【００３３】
又、本考案でいう「含有」には、多元素鉱物ミネラルパウダーや遠赤外線放射パウダーを合成樹脂ブラシ毛及び／又は加熱板自体に練り込んで所定の形状に成型したもの、又、多元素鉱物ミネラルパウダーや遠赤外線放射パウダーをコーティング剤に混合させて表面に塗布することでコーティング層（例えば、セラミックコーティング層、メッキ層、フッ素コーティング層、ナイロン層、合成樹脂層、シリコンラバー層、フッ素ラバー層等）を形成させたものを含む。
【実施例】
【００３４】
実施例の開閉型ヘアーアイロンブラシは、図１、図３で示すように、合成樹脂による柄部１ａ、２ａの基端が軸９により開閉可能に枢着された１対の腕体１，２を備えている。
この腕体１，２のそれぞれの先端部対向側には平板状加熱板１０、２０が前記腕体１，２の開閉に伴って近接離反するように設けられている。
この場合、両腕体１，２は図示省略したバネ部材により付勢されて図３に示すように開放状態に保持され、開閉型ヘアーアイロンとして使用する際は図１に示すように閉鎖保持して毛髪を平板状加熱板１０，２０で挟持する。  
尚、両腕体１，２を閉鎖してスイッチ６を前方向にスライドさせることで両腕体１，２を図１の閉鎖状態に保持でき、スイッチ６を後方向にスライドさせることで両腕体１，２を図３の開放状態に保持できる。
又、前記平板状加熱板１０，２０は、その表面と両側面の角部分が毛髪を挟持して施術する際に折り跡が残らないようにアール面取り加工されている。
【００３５】
平板状加熱板１０，２０としては、アルミ材、スチール材、ステンレス材、セラミック材等を用いることができるもので、実施例では表面にコーティング層を形成したアルミ材を用いている。そのコーティング層としては、メッキ層、セラミック層、フッソ層等を形成できる。
【００３６】
図２、図４に示すように、一方の腕体１の先端部外側には円弧状加熱板１１が前記平板状加熱板１０とで断面略半円形を成すように設けられている。実施例の円弧状加熱板１１は前記平板状加熱板１０と同一のアルミ材を用いて一体に形成されると共に、表面に同一のコーティング層が形成されている。
【００３７】
又、前記一方の腕体１の円弧状加熱板１０の表面には腕体長手方向に長い複数列（実施例では９列）の筋状溝１５と筋状加熱表面１６が円周方向に交互に形成され、かつ前記筋状溝１５にブラシ毛列体３が蟻溝嵌合されて、このブラシ毛列体３と前記筋状加熱表面１６が円周方向に交互に配置されている。
【００３８】
前記筋状加熱表面１６は、毛髪との接触が良好になるように、その断面形状が半円弧凸形（略逆Ｕ字形）に形成されているが山形（略逆Ｖ字形）や平形に形成してもよい。
【００３９】
前記ブラシ毛列体３は、図５に示すように、ブラシ長手方向に長い合成樹脂製の筋状台３２に一体的に合成樹脂ブラシ毛３１を１列に列設して形成されている。
前記合成樹脂ブラシ毛３１の先端は球体形に形成され、これによりブラッシング時やスタイリング時の頭皮への当りを緩和させると共に、毛髪の脱落を防止できる。
尚、前記ブラシ毛列体３における合成樹脂ブラシ毛３１の数、列設ピッチ、太さ（毛径）、列数は適宜に決定できるし、材質についてもシリコンゴム、ナイロン、その他の合成樹脂を使用できる。
【００４０】
図２、図４に示すように、他方の腕体２の先端部外側には柄部２ａと一体の円弧状板２１が前記平板状加熱板２０とで断面略半円形を成すように設けられ、前記平板状加熱板１０，２０同士を近接させた腕体１、２の閉鎖状態で両腕体１、２を合わせた先端部外周が断面略円形になるように形成されている。
尚、前記他方の腕体２において、平板状加熱板２０は円弧状板２１の開口側に取り付けられるもので、この場合、ゴム材等の弾性部材（図示省略）によって弾性支持させてもよい。
【００４１】
前記他方の腕体２の円弧状板２１の表面には、円弧凹部４０と円弧凸部４１を腕体長手方向に交互に形成した凹凸状コーム部４が形成されている。
前記円弧凸部４１の両端には、平板状加熱板２０の両側面を覆い、さらに腕体１、２を閉鎖した状態で一方の平板状加熱板１０の両側面を覆うように突出部４１ａが設けられ、この突出部４１ａによって平板状加熱板１０、２０の両側面に施術者の指先が触れたり、平板状加熱板１０、２０の対向間隙に指先が入ったりして火傷等を負わないように工夫している。
尚、前記円弧凹部４０と円弧凸部４１の数、列設ピッチ、凹凸高さ深さ等は適宜に決定できる。
【００４２】
前記一方の腕体１に設けた円弧状加熱板１１の裏面及び他方の腕体２に設けた平板状加熱板２０の裏面には一方の腕体１の柄部１ａに設けたスイッチ５によりＯＮ／ＯＦＦされる加熱手段としてのヒータ５１、６０が取り付けられている。
尚、図において、電源コードは図示省略した。
【００４３】
前記平板状加熱板１０、２０にはそれぞれ緩衝部材となる弾性条部材７０，７１が取り付けられている。
この場合、前記平板状加熱板１０、２０の表面（毛髪挟持面）に腕体１，２の延在方向に延長して溝部７２，７３が形成され、この溝部７２，７３に断面凸形状の弾性条部材７０，７１が、平板状加熱板１０，２０の表面から若干の突出幅（実施例では０．０１ｍｍ〜０．５ｍｍ程度）で突出する状態で平板状加熱板１０，２０の全長に亘って延在するように嵌め込まれている。
【００４４】
前記弾性条部材７０，７１としては、シリコン、ラバー、ポリウレタン等の耐熱性弾性素材を中空のチューブ状に形成したもの、中実の棒状に形成したもの等を使用できるし、平板状加熱板１０，２０にそれぞれ１個又は複数個の弾性条部材を取り付けることができる。
【００４５】
このように、平板状加熱板１０，２０の表面に弾性条部材７０，７１を設けると、弾性条部材７０，７１の弾性によって毛髪を平板状加熱板１０，２０間に確実に挟持させることができるため、効果的に施術を施すことができるし、平板状加熱板１０，２０により毛髪を直接加熱することに因る毛髪の損傷を抑制できるという利点がある。
【００４６】
そして、本実施例では、前記ブラシ毛列体３及び平板状加熱板１０，２０及び円弧状加熱板１１、並びに前記弾性条部材７０，７１に、多元素鉱物ミネラルパウダーと、遠赤外線放射パウダーの混合パウダーを含有させている。
この場合、ブラシ毛列体３及び弾性条部材７０，７１にはその素材に混合パウダーを混合させて成型することで、このブラシ毛列体３自体及び弾性条部材７０，７１自体に混合パウダーを含有させている。
尚、前記多元素鉱物ミネラルパウダー、遠赤外線放射パウダーは必ずしも含有させる必要性はない。
【００４７】
また、平板状加熱板１０、２０及び円弧状加熱板１１に対しては、その表面にコーティング層を形成させることで含有させている。
このコーティング層は、混合パウダーをコーティング剤である耐熱性フォーマイカに加えて塗料状にしたものを加熱板１０、２０、１１に塗布し、これを加熱炉に通してコーティング剤を飛ばして（焼き付けて）形成している。
耐熱性フォーマイカに対する混合パウダーの混合割合は、容積比で３〜１５％が望ましいが数値は変わってもよい。
【００４８】
従って、本実施例の開閉型ヘアーアイロンブラシでは、一方の腕体１に設けたスイッチ５をＯＮにしてヒータ５１、６０に通電させると、円弧状加熱板１１及び平板状加熱板１０、並びに平板状加熱板２０を加熱させることができる。
これにより合成樹脂ブラシ毛３１によるブラッシング機能によって毛髪を梳かしながら円弧状加熱板１１によるアイロン機能によって毛髪にカールやウエーブをつけたり伸したりすることができる。
又、加熱した平板状加熱板１０，２０により毛髪を挟持して使用すれば毛髪にカールやウエーブをつけたり伸したりすることができるし、更に、ストレートヘア用アイロンとして使用することができる。
【００４９】
この際、平板状加熱板１０，２０及び弾性条部材７０，７１に含有させた多元素鉱物ミネラルパウダーから放射される微弱エネルギーや遠赤外線放射パウダーから放射される遠赤外線により毛髪をケアしながらスタイリングすることができ、また、頭皮の血行を増進させて効果的なケアができる。
【００５０】
尚、スイッチ５をＯＦＦにしたときはヒータ５１、６０が発熱しないため円弧状加熱板１１及び平板状加熱板１０，２０は加熱されず、合成樹脂ブラシ毛３１によるブラッシング機能しか得られないが、多元素鉱物ミネラルパウダーから放射される微弱エネルギーや遠赤外線放射パウダーから放射される遠赤外線による作用は享受することができる。
【００５１】
平板状加熱板１０，２０により毛髪を挟持して使用する際の具体的使用例を説明すると、１対の腕体１，２を閉じて平板状加熱板１０，２０により毛髪束を挟み、手首を手前方向に４５度〜１８０度くらい捻って（バイクのアクセルを開けるようにする）スライドさせると、くせ毛を伸ばしながら毛先にカールを施し、また毛髪毛束の全体にスプリング状のカールを施すことができる。
このカール形状を作る際にはカールを作りたいところから手前方向に手首を捻るもので、この手首の捻り具合によってカールの形状を波型あるいはスプリング状に調節できる。
又、平板状加熱板１０，２０により毛髪の根元部分を立ち上げるように挟んで手前方向に手首を捻ると、ボリュームアップもできる。その際、他方の腕体２の円弧状板２１の表面に形成した凹凸状コーム部４によって毛流れの乱れを防ぎ毛束を整えることができる。
【００５２】
以上、本考案の実施例を図面に基づいて説明してきたが、具体的な構成はこの実施例に限定されるものではなく、本考案の要旨を逸脱しない範囲における設計変更等があっても本考案に含まれる。
【００５３】
なお、本考案の開閉型ヘアーアイロンブラシはヘアドライヤーを併用し、ヘアドライヤーによる熱を毛髪に与えながら開閉型ヘアーアイロンブラシで毛髪をブラッシングしたり、カールやウエーブをつけたり、伸したりすることができる。
ヘアドライヤーとしては本考案者が開発したマイナスイオンを温風又は冷風と共に噴出するイオンドライヤーを使用することが好ましい。
【符号の説明】
【００５４】
１  腕体
１０  平板状加熱板
１１  円弧状加熱板
１５  筋状溝
１６  筋状加熱表面
２  腕体
２０  平板状加熱板
２１  円弧状板
３  ブラシ毛列体
３１  合成樹脂ブラシ毛
４  凹凸状コーム部
４０  円弧凹部
４１  円弧凸部
【図１】
0003184814.tif 000004
【図２】
0003184814.tif 000005
【図３】
0003184814.tif 000006
【図４】
0003184814.tif 000007
【図５】
0003184814.tif 000008